(57)【要約】【課題】電話機の操作性を向上するための電話機およびその操作案内方法を提供することを目的とする。【解決手段】入力操作をするキーを複数有するキー部１と、入力操作されたキーを特定し入力判断を行うキー検知手段５と、キーのそれぞれを照明する複数のＬＥＤを有するＬＥＤ部２と、ＬＥＤのそれぞれを点灯制御するＬＥＤ制御手段７と、入力判断に対応する操作ガイダンスを記憶する電話機メモリ部４と、電話機全体を制御する電話機処理手段５とを有し、操作ガイダンスに基づいてＬＥＤ制御手段７により操作可能なキーの点灯制御をして操作ガイダンスをすることを特徴とする電話機およびその操作案内方法である。【選択図】図１
2006332725.tif 000002
【特許請求の範囲】
【請求項１】
入力操作をするキーを複数有するキー部と、入力操作されたキーを特定し入力判断を行うキー検知手段と、前記キーのそれぞれを照明する複数のＬＥＤを有するＬＥＤ部と、前記ＬＥＤのそれぞれを点灯制御するＬＥＤ制御手段と、前記入力判断に対応する操作案内情報を記憶する電話機メモリ部と、電話機全体を制御する電話機処理手段とを有し、
前記操作案内情報に基づいて前記ＬＥＤ制御手段により操作可能なキーの点灯制御をして操作案内をすることを特徴とする電話機。
【請求項２】
前記電話機は、交換機との通信を行う電話機通信部を有し、
前記交換機は、前記電話機との通信を行う交換機通信部と、操作案内情報を記憶する交換機メモリ部と、交換機全体を制御する交換機処理手段とを有し、
前記電話機処理手段は前記交換機処理手段に対して操作案内情報を参照し、前記交換機メモリ部から前記電話機処理手段へ前記操作案内情報を送信することにより、前記交換機の設定のための操作案内をすることを特徴とする請求項１記載の電話機。
【請求項３】
入力操作をするキーを複数有するキー部と、入力操作されたキーを特定し入力判断を行うキー検知手段と、前記キーのそれぞれを照明する複数のＬＥＤを有するＬＥＤ部と、前記ＬＥＤのそれぞれを点灯制御するＬＥＤ制御手段と、前記入力判断に対応する操作案内情報を記憶する電話機メモリ部とを有する電話機の操作案内方法であって、
前記キー部に入力操作が行われると、前記キー検知手段により入力操作されたキーを特定するキー検知ステップと、前記電話機メモリ部を参照して前記入力操作されたキーに対応する電話機の状態情報と受付可能なキーを照明する点灯パターン情報とを入手するメモリ参照ステップと、前記点灯パターン情報に基づいて前記ＬＥＤ制御手段を制御し点灯制御する操作案内ステップとを有することを特徴とする電話機の操作案内方法。
【請求項４】
前記電話機は、交換機との通信を行う電話機通信部を有し、
前記交換機は、前記電話機との通信を行う交換機通信部と、操作案内情報を記憶する交換機メモリ部と、交換機全体を制御する交換機処理手段とを有し、
前記電話機処理手段は前記交換機処理手段に対して操作案内情報を参照する交換機参照ステップと、前記交換機メモリ部から前記電話機処理手段へ前記操作案内情報を送信する案内情報送信ステップとを有し、前記交換機の設定のための操作案内をすることを特徴とする請求項１記載の電話機の操作案内方法。
【発明の詳細な説明】
【技術分野】
【０００１】
本発明は、電話機において設定の操作性を向上させるための操作ガイダンス方法に関するものである。
【背景技術】
【０００２】
従来の電話機では大型のＬＣＤを用いて、操作ガイドとして入力可能なキーを表示したり、入力可能なナビキーの矢印を表示するなどしている。しかしながら、表示可能文字数の少ないＬＣＤしか持たない電話機や、ＬＣＤを持たない電話機では、その端末の設定操作を表示することができず、どのキーを押せば良いのか分かり難い。
【０００３】
電話機ではないが情報提供端末の操作案内方法が（特許文献１）に記載されている。
【特許文献１】特開２００３−８４８７９号公報
【発明の開示】
【発明が解決しようとする課題】
【０００４】
解決しようとする問題点は、液晶を持たない電話機、または表示可能文字数が少ない液晶しか持たない電話機において操作ガイダンスを使用者に対し表示できないという点である。
【課題を解決するための手段】
【０００５】
本発明は、入力インターフェースであるキー部と、各キーに割り当てられたＬＥＤ部と、ＬＥＤの点灯を制御する制御部を有する電話機において、操作ガイダンス情報に基づき操作可能な各キーに取り付けられたＬＥＤを制御部により点灯・消灯制御させることを主要な特徴とする。
【発明の効果】
【０００６】
本発明の電話機の操作ガイダンス方法は、設定時の操作性を向上させるという利点がある。
【発明を実施するための最良の形態】
【０００７】
本発明は、液晶により操作ガイダンスを十分に表示できない電話機において、各キーにＬＥＤを付加し操作ガイダンスに合わせて操作に必要なキーのＬＥＤを点灯させることにより、操作性を向上させるということを目的とする。
【０００８】
上記課題を解決するためになされた第１の発明は、入力操作をするキーを複数有するキー部と、入力操作されたキーを特定し入力判断を行うキー検知手段と、キーのそれぞれを照明する複数のＬＥＤを有するＬＥＤ部と、ＬＥＤのそれぞれを点灯制御するＬＥＤ制御手段と、入力判断に対応する操作案内情報を記憶する電話機メモリ部と、電話機全体を制御する電話機処理手段とを有し、操作案内情報に基づいてＬＥＤ制御手段により操作可能なキーの点灯制御をして操作案内をすることを特徴とする電話機である。
【０００９】
特に、電話機は交換機との通信を行う電話機通信部を有し、交換機は電話機との通信を行う交換機通信部と操作案内情報を記憶する交換機メモリ部と交換機全体を制御する交換機処理手段とを有し、電話機処理手段は交換機処理手段に対して操作案内情報を参照し、交換機メモリ部から電話機処理手段へ操作案内情報を送信することにより、交換機の設定のための操作案内をすることを特徴とする電話機である。
【００１０】
また、第２の発明は、入力操作をするキーを複数有するキー部と、入力操作されたキーを特定し入力判断を行うキー検知手段と、キーのそれぞれを照明する複数のＬＥＤを有するＬＥＤ部と、ＬＥＤのそれぞれを点灯制御するＬＥＤ制御手段と、入力判断に対応する操作案内情報を記憶する電話機メモリ部とを有する電話機の操作案内方法であって、キー部に入力操作が行われると、キー検知手段により入力操作されたキーを特定するキー検知ステップと、電話機メモリ部を参照して入力操作されたキーに対応する電話機の状態情報と受付可能なキーを照明する点灯パターン情報とを入手するメモリ参照ステップと、点灯パターン情報に基づいてＬＥＤ制御手段を制御し点灯制御する操作案内ステップとを有することを特徴とする電話機の操作案内方法である。
【００１１】
特に、電話機は交換機との通信を行う電話機通信部を有し、交換機は電話機との通信を行う交換機通信部と操作案内情報を記憶する交換機メモリ部と交換機全体を制御する交換機処理手段とを有し、電話機処理手段は交換機処理手段に対して操作案内情報を参照する交換機参照ステップと、交換機メモリ部から電話機処理手段へ操作案内情報を送信する案内情報送信ステップとを有し、交換機の設定のための操作案内をすることを特徴とする電話機の操作案内方法である。
【００１２】
これらの特徴により、操作時に有効なキーに取り付けられたＬＥＤを点灯させることにより操作性の向上を図ることができるという効果を有するものである。
【００１３】
（実施の形態１）
以下、本発明の実施の形態１について、各図に基づいて説明する。図１は実施の形態１における電話機のＬＥＤ点灯選択実現のためのブロック図である。実施の形態１の電話機は、図１のようにキー部１と、キー部の各キーそれぞれに１対１で対応するＬＥＤ部２と、キー入力判定およびＬＥＤ点灯制御および処理を行う制御部３と、操作ガイダンス情報（操作案内情報）を持つ電話機メモリ部４を備え、制御部３はキー入力判定を行うキー検知手段５と、ＬＥＤの点灯および消灯を制御するＬＥＤ制御手段７と、電話機全体を制御する電話機処理手段６を備えている。
【００１４】
図２は図１の電話機メモリ部の操作ガイダンス情報を示す図であって、前記電話機メモリ部４に含まれる操作ガイダンス情報である。操作ガイダンス（操作案内）の実現のために、取り得るすべての状態に状態番号を割り振る。各状態における状態番号と受付可能なキーに対応するＬＥＤを点灯させるように設定された点灯パターンを格納したＬＥＤ点灯パターンテーブル８を有する。キーが押されたとき現在の状態番号と次に遷移する先の状態の状態番号とを格納した状態遷移テーブル９を有する。最新の状態を示す状態番号を格納する状態レジスタ１０をさらに有し、状態遷移テーブルは各キー毎にそれぞれ準備されている。
【００１５】
特定のキー、または特定の操作により（キー検知ステップ）電話機が設定モードに入ると、電話機処理手段６は電話機メモリ部４から状態レジスタ１０を初期化し、ＬＥＤ点灯パターンテーブル８から初期化された状態番号に該当するＬＥＤ部２の点灯パターン情報を入手する（メモリ参照ステップ）。次に電話機処理手段６はＬＥＤ制御手段７を制御し、入手した点灯パターン情報をもとに該当するＬＥＤを点灯し、受付可能なキーを照明表示する（操作案内ステップ）。
【００１６】
この段階でキー部１が押下されると、キー検知手段５が押されたキーを検知し（キー検知ステップ）、電話機処理手段６にその情報を送信する。キーが押下されたことを受信した電話機処理手段６は電話機メモリ部４から押下されたキーに対応する状態遷移テーブル９を参照し、状態レジスタ１０に遷移先の状態番号を書き込む。続けて電話機処理手段６は状態レジスタ１０の状態番号に該当するＬＥＤ部２の点灯パターンをＬＥＤ点灯パターンテーブル８から読み込み（メモリ参照ステップ）、ＬＥＤ制御手段７を制御して、新たなＬＥＤの点灯パターンに変更し、遷移した状態での受付可能なキーを照明表示する（操作案内ステップ）。
【００１７】
図３は図１のＬＥＤによる操作ガイダンスの遷移図であって、ＬＥＤの点灯パターンの変化の例を示す。設定モードに入った電話機は初期化された状態１となり、ＬＥＤ点灯パターンテーブル８の状態１の点灯パターン情報をもとにＬＥＤ２ａ、２ｂ、２ｃ、２ｊを点灯させる。ここでキー１ｂが押下されると、キー１ｂに対応した図２の状態遷移テーブル９ｂをもとに状態レジスタ１０を状態１から状態２に変化させる。さらに図２のＬＥＤ点灯パターンテーブル８を参照し、図２の状態レジスタ１０の新しい状態番号である状態２に対応するＬＥＤ点灯パターンを読み込み、ＬＥＤ２ｂ、２ｄ、２ｅ、２ｆ、２ｈのみを点灯するように点灯パターンを変化させる。
【００１８】
この段階で、キー１ｂが押下されると、キー１ｂに対応した図２の状態遷移テーブル９ｂをもとに図２の状態レジスタ１０を状態２から状態３に変化させる。さらに図２のＬＥＤ点灯パターンテーブル８を参照し、図２の状態レジスタ１０の新しい状態番号である状態３に対応するＬＥＤ点灯パターンを読み込み、ＬＥＤ２ｇ、２ｉ、２ｊのみを点灯するように点灯パターンを変化させる。
【００１９】
受付不可のキーに対しては状態を維持する状態遷移テーブルを用意することで、状態３でキー１ｂが押下されても図２の状態遷移テーブル９ｂを参照し、状態３を維持し、ＬＥＤの点灯パターンを変化させないことができる。逆に状態３で受付可能なキー１ｉが押下されれば図２の状態遷移テーブル９ｉを参照し、遷移先の状態番号に対応したＬＥＤ点灯パターンを変化させることができる。前述のようにキーが押下されるごとに受付可能なキーのＬＥＤ点灯パターンを次々と変化させることにより、受付可能なキーの視認性を向上し、操作性の向上ができる。さらに機能を示す文字表示をキーボタンに記載してＬＥＤ点灯パターンと併用することでさらに操作性は向上する。
【００２０】
（実施の形態２）
次に、本発明の実施の形態２について説明する。図４は本発明の実施の形態２における電話機のブロック図である。実施の形態２では図１に加え、電話機１５にＰＢＸ（交換機）１６との通信を行うための電話機通信部１１を有する。ＰＢＸ１６には電話機１５と通信を行うためのＰＢＸ通信部１２と、図２の操作ガイダンス情報を格納したＰＢＸメモリ部１３と、ＰＢＸ通信部１２およびＰＢＸメモリ部の制御を行うＰＢＸ処理手段１４を有する。
【００２１】
実施の形態１で電話機処理手段６が電話機メモリ部４から直接操作ガイダンス情報のデータを参照および処理する代わりに、電話機通信部１１およびＰＢＸ通信部１２を介して、電話機処理手段６がＰＢＸ処理手段１４に操作ガイダンス情報の参照および処理を命令し（案内情報送信ステップ）、ＰＢＸ処理手段１４がＰＢＸメモリ部１３の操作ガイダンス情報のデータを処理および電話機処理手段６への送信を行う（交換機参照ステップ）ことで、実施の形態１と同様にＬＥＤ部２の点灯パターン変更を可能にしたものである。この実施の形態により、電話機１５からＰＢＸの機能を設定する時に電話機１５のＬＥＤによる操作ガイダンスを可能にし、ＰＢＸの機能設定時の操作性の向上を可能にする。
【００２２】
（実施の形態３）
次に、本発明の実施の形態３について説明する。実施の形態２において、電話機が設定モードになった際、図２の操作ガイダンス情報をＰＢＸメモリ部１３からＰＢＸ処理手段１４、ＰＢＸ通信部１２、電話機通信部１１、および電話機処理手段６を介して電話機メモリ部４にすべてコピーする。
【００２３】
その後、実施の形態１と同じ動作をさせて電話機処理手段６が電話機メモリ部４の操作ガイダンス情報を参照することで、ＬＥＤによる操作ガイダンスを可能にしたものである。
【００２４】
ＰＢＸ１６の機能設定中のＰＢＸ１６の負荷を下げ、ＬＥＤ部２の点灯パターンの変化スピードを速くすることができる。
【００２５】
（実施の形態４）
次に、本発明の実施の形態４について説明する。図５は本発明の実施の形態４における状態遷移テーブルを示す図である。前述の実施の形態１、２、３において、図２において各キー毎に用意された現状態の状態番号と遷移する先の状態の状態番号を対にした状態遷移テーブル９を参照する代わりに、本実施の形態では各キーと遷移する先の状態の状態番号を対にした状態遷移テーブル９を各状態の状態番号毎に用意したものである。
【００２６】
キーが押下される毎に、図２の状態レジスタを参照し、対応する状態番号の図５の状態遷移テーブル９の中から押下されたキーに対応する状態番号を読み出し、状態レジスタを変更することで実施の形態１、２，３とまったく同じ動作をさせることが可能である。
【産業上の利用可能性】
【００２７】
本発明は、電話機およびその操作案内方法に関するものであり、電話機や電話機に接続されたＰＢＸの設定時の操作性を向上させるという利点がある。
【図面の簡単な説明】
【００２８】
【図１】本発明の実施の形態１における電話機のブロック図
【図２】図１の電話機メモリ部の操作ガイダンス情報を示す図
【図３】図１のＬＥＤによる操作ガイダンスの遷移図
【図４】本発明の実施の形態２における電話機のブロック図
【図５】本発明の実施の形態４における状態遷移テーブルを示す図
【符号の説明】
【００２９】
１    キー部
１ａ，１ｂ，１ｃ，１ｄ，１ｅ，１ｆ，１ｇ，１ｈ，１ｉ，１ｊ    キー
２    ＬＥＤ部
２ａ，２ｂ，２ｃ，２ｄ，２ｅ，２ｆ，２ｇ，２ｈ，２ｉ，２ｊ    ＬＥＤ
３    制御部
４    電話機メモリ部
５    キー検知手段
６    電話機処理手段
７    ＬＥＤ制御手段
８    ＬＥＤ点灯パターンテーブル
９    状態遷移テーブル
１０    状態レジスタ
１１    電話機通信部
１２    ＰＢＸ通信部
１３    ＰＢＸメモリ部
１４    ＰＢＸ処理手段
１５    電話機
１６    ＰＢＸ
【図１】
2006332725.tif 000003
【図２】
2006332725.tif 000004
【図３】
2006332725.tif 000005
【図４】
2006332725.tif 000006
【図５】
2006332725.tif 000007